【手続補正書】
【提出日】平成20年1月15日(2008.1.15)
【手続補正１】
【補正対象書類名】明細書
【補正対象項目名】発明の名称
【補正方法】変更
【補正の内容】
【発明の名称】画像処理方法及び画像処理装置【手続補正２】
【補正対象書類名】明細書
【補正対象項目名】特許請求の範囲
【補正方法】変更
【補正の内容】
【特許請求の範囲】    【請求項１】  外部バスを介して、少なくとも外部の制御装置に接続された画像処理装置であって、  入力画像データを処理して、第１及び第２の画像データを生成する第１画像処理手段と、  前記第１画像処理手段で生成された第１及び第２の画像データを記憶する画像記憶手段と、  前記画像記憶手段から読み出した前記第１及び第２の画像データを処理する第２画像処理手段と、  前記第２画像処理手段により処理された第１及び第２の画像データを前記外部バスを介して出力する出力制御手段と、 前記第２画像処理手段による前記第１の画像データの処理結果を待避させるための待避手段と、  前記出力制御手段による前記第１の画像データの出力終了に応じて、前記待避手段による待避動作を起動する擬似マスタ手段とを有し、 前記第２画像処理手段により処理された第１の画像データを前記出力制御手段が出力する間、前記第１画像処理手段は前記第２の画像データを生成することを特徴とする画像処理装置。    【請求項２】  前記出力制御手段、前記擬似マスタ手段のいずれか、または両方は、前記出力制御手段による前記第１の画像データの出力終了に応じて、前記画像記憶手段に記憶されている前記第２の画像データの出力処理を起動することを特徴とする請求項１に記載の画像処理装置。    【請求項３】 前記擬似マスタ手段は、前記出力制御手段による前記外部バスへの１フレーム分の第１の画像データの出力終了に応じて、前記退避手段による退避動作を起動することを特徴とする請求項１又は２に記載の画像処理装置。    【請求項４】  前記出力制御手段は、前記入力画像データから生成される第１及び第２の画像データの全ての、前記外部バスへの転送を終了したときのみ、前記外部の制御装置に割込み要求を発行し、  前記外部の制御装置は、前記割込み要求に応じて前記待避手段に待避されている前記処理結果の読み出し、及び次フレームの画像処理のための設定を行うことを特徴とする請求項１又は２に記載の画像処理装置。    【請求項５】  前記外部の制御装置からのアクセス要求と、前記擬似マスタ手段及び前記待避手段による、前記処理結果の待避動作とを調停する調停手段を、更に有することを特徴とする請求項１乃至４のいずれか１項に記載の画像処理装置。    【請求項６】  前記第１画像処理手段は、前記第１の画像データを生成する第１処理手段と、前記第２の画像データを生成する第２処理手段とを備えることを特徴とする請求項１乃至５のいずれか１項に記載の画像処理装置。    【請求項７】  外部バスを介して、少なくとも外部の制御装置に接続された画像処理装置における画像処理方法であって、  入力画像データを処理して、第１及び第２の画像データを生成する第１画像処理工程と、  前記第１画像処理工程で生成された前記第１及び第２の画像データを画像メモリに記憶する画像記憶工程と、  前記画像メモリから読み出した前記第１及び第２の画像データを処理する第２画像処理工程と、  前記第２画像処理工程で処理された第１及び第２の画像データを前記外部バスを介して出力する出力制御工程と、 前記第２画像処理工程による前記第１の画像データの処理結果を待避させるための待避工程と、  前記出力制御工程による前記第１の画像データの出力終了に応じて、前記待避工程を起動する擬似マスタ工程とを有し、 前記第２画像処理工程で処理された第１の画像データを前記出力制御工程により出力する間、前記第１画像処理工程で前記第２の画像データを生成することを特徴とする画像処理方法。    【請求項８】  前記出力制御工程、前記擬似マスタ工程のいずれか、または両方において、前記出力制御工程による前記第１の画像データの出力終了に応じて、前記画像記憶工程によって記憶されている第２の画像データの出力処理を起動することを特徴とする請求項７に記載の画像処理方法。    【請求項９】 前記擬似マスタ工程では、前記出力制御工程での前記外部バスへの１フレーム分の第１の画像データの出力終了に応じて、前記退避工程による退避動作を起動することを特徴とする請求項７又は８に記載の画像処理方法。    【請求項１０】  前記出力制御工程では、前記入力画像データから生成される第１及び第２の画像データの全ての、前記外部バスへの転送を終了したときのみ、前記外部の制御装置に割込み要求を発行し、  前記外部の制御装置は、前記割込み要求に応じて前記待避工程で待避されている前記処理結果の読み出し、及び次フレームの画像処理のための設定を行うことを特徴とする請求項７又は８に記載の画像処理方法。    【請求項１１】  前記外部の制御装置からのアクセス要求と、前記擬似マスタ工程及び前記待避工程によって行われる、前記処理結果の待避動作とを調停する調停工程を、更に有することを特徴とする請求項７乃至１０のいずれか１項に記載の画像処理方法。【手続補正３】
【補正対象書類名】明細書
【補正対象項目名】０００１
【補正方法】変更
【補正の内容】
【０００１】    【発明の属する技術分野】  本発明は、供給される画像データを順次処理しバスを介して出力する画像処理方法及び画像処理装置に関するものである。【手続補正４】
【補正対象書類名】明細書
【補正対象項目名】００１０
【補正方法】変更
【補正の内容】
【００１０】    【課題を解決するための手段】  上記目的を達成するために本発明の画像処理装置は以下のような構成を備える。即ち、  外部バスを介して、少なくとも外部の制御装置に接続された画像処理装置であって、  入力画像データを処理して、第１及び第２の画像データを生成する第１画像処理手段と、  前記第１画像処理手段で生成された第１及び第２の画像データを記憶する画像記憶手段と、  前記画像記憶手段から読み出した前記第１及び第２の画像データを処理する第２画像処理手段と、  前記第２画像処理手段により処理された第１及び第２の画像データを前記外部バスを介して出力する出力制御手段と、 前記第２画像処理手段による前記第１の画像データの処理結果を待避させるための待避手段と、  前記出力制御手段による前記第１の画像データの出力終了に応じて、前記待避手段による待避動作を起動する擬似マスタ手段とを有し、 前記第２画像処理手段により処理された第１の画像データを前記出力制御手段が出力する間、前記第１画像処理手段は前記第２の画像データを生成することを特徴とする。【手続補正５】
【補正対象書類名】明細書
【補正対象項目名】００１１
【補正方法】変更
【補正の内容】
【００１１】  上記目的を達成するために本発明の画像処理方法は以下のような工程を備える。即ち、  外部バスを介して、少なくとも外部の制御装置に接続された画像処理装置における画像処理方法であって、  入力画像データを処理して、第１及び第２の画像データを生成する第１画像処理工程と、  前記第１画像処理工程で生成された前記第１及び第２の画像データを画像メモリに記憶する画像記憶工程と、  前記画像メモリから読み出した前記第１及び第２の画像データを処理する第２画像処理工程と、  前記第２画像処理工程で処理された第１及び第２の画像データを前記外部バスを介して出力する出力制御工程と、 前記第２画像処理工程による前記第１の画像データの処理結果を待避させるための待避工程と、  前記出力制御工程による前記第１の画像データの出力終了に応じて、前記待避工程を起動する擬似マスタ工程とを有し、 前記第２画像処理工程で処理された第１の画像データを前記出力制御工程により出力する間、前記第１画像処理工程で前記第２の画像データを生成することを特徴とする。【手続補正６】
【補正対象書類名】明細書
【補正対象項目名】００３６
【補正方法】変更
【補正の内容】
【００３６】  尚、ステータスレジスタ５ａを読み出すためにアドレス（stat_addr）は、このアクセス許可与えられている期間のみ出力され、アクセス許可が与えられていない期間は、通常の外部制御装置９０１からのアクセスを干渉しないようになっている。【手続補正７】
【補正対象書類名】明細書
【補正対象項目名】００５０
【補正方法】変更
【補正の内容】
【００５０】  その具体的な実現方法として、本実施の形態１に係る画像処理装置では、内部的な擬似マスタ部７を設けるとともに、「画像データ１」の処理結果を待避するための待避レジスタを設けている（尚、後述の実施の形態２では、「画像データ２」の待避レジスタも設けている）。更に、「画像データ２」の処理に自動的に移行できるように、画像出力制御部６から画像バッファ制御部３と画像処理部５を起動する機能を持たせている。これによって、「画像データ１」の処理から「画像データ２」への処理の移行の際に、外部からの制御が不要となる。更に、本実施の形態１の構成を完全なものとするために、外部記憶装置９０３と内部擬似マスタ部７を調停する、調停回路１４をバスＩ／Ｆ内部１に設け、外部記憶装置９０３と内部擬似マスタ部７の衝突を回避している。これにより、従来、処理途中で発生していた割込み要求をなくし、全画像（「画像データ１」〜「画像データ２」（後述の実施の形態２では「画像データ１」〜「画像データ３」）の処理とデータ転送が終了したときのみ、割込み要求が発生するようになる。すなわち、割込み要求の回数が削減できる。